【事件の表示】
　特願２０１０−１２３９３０「放送に対する視聴者フィードバックを収集し、かつ提供するための方法および装置」拒絶査定不服審判事件〔平成２２年１１月　４日出願公開、特開２０１０−２５２３６１〕について、次のとおり審決する。
【結　論】
　本件審判の請求は、成り立たない。
【理　由】
第１　経緯
１　経緯
　本件出願は、１９９９年（平成１１年）１１月３日（パリ条約による優先権主張外国庁受理１９９８年１１月４日、米国）を国際出願日とする出願（特願２０００−５８０３８４号）の一部を平成２２年５月３１日に新たな特許出願としたものであって、平成２４年１１月３０日付けで拒絶理由の通知がなされ、これに対し、平成２５年３月１８日付けで手続補正がなされたが、平成２５年１０月１７日付け（発送日同年１０月２９日）で拒絶査定がなされた。
　本件は、上記拒絶査定を不服として平成２６年２月２５日付けで請求された拒絶査定不服審判であって、平成２６年２月２５日付けで手続補正（明細書、特許請求の範囲又は図面について請求と同時にする補正）がなされた。
　　
２　査定の概要
　原査定の理由は、概略、次のとおりである。
　　
［査定の理由］
　請求項１〜２０に係る発明は、下記の刊行物に記載された発明に基いて、当業者が容易に発明をすることができたものであるから、特許法第２９条第２項の規定により特許を受けることができない。
　　　　　　　　　　　　　　　記
　引用文献１：特開平９−４６６８９号公報
　引用文献２：宮原浩二(外4名), 利用者の視聴履歴に基づくＴＶ番組推薦システムの検討, 情報処理学会第54回(平成9年前期)全国大会講演論文集, 社団法人情報処理学会, 1997年3月12日, 第4巻 ,p.4-245〜4-246 
　引用文献３：Upendra Shardanand(外1名),Social Information Filtering: Algorithms for Automating Word of Mouth, 1995 Proceedings of the SIGCHI conference on Human factors in computing systems, Association for Computing Machinery(ACM),　1995年5月7日, p.210〜217 
　引用文献４：特開平１０−２４０７４９号公報
　引用文献５：国際公開第９７／０２５３７号
　引用文献６：有吉勇介(外1名),目利き利用者の発見と利用によるソーシャルフィルタリング方式, 情報処理学会第53回(平成8年後期)全国大会講演論文集, 社団法人情報処理学会, 1996年9月4日, 第3巻 ,p.3-25〜3-26  
　引用文献７：渡部勇, 緩い協調：協調情報フィルタリングシステム,  情報処理学会研究報告, 社団法人情報処理学会, 1991年3月8日, 第91巻, 第18号, P.179〜186
　引用文献８：西原祐一, 特定個人への重み付けを考慮したソーシャルフィルタリング方式, 情報処理学会第56回(平成10年前期)全国大会講演論文集, 社団法人情報処理学会, 1998年3月17日, 第3巻 ,p.3-197〜3-198  
　
　引用文献９〜１５は、拒絶査定に用いられた周知技術である。
　引用文献９：特表平９−５１０３２７号公報(第32-81頁など)
　引用文献１０：特開平９−８３８８８号公報(段落[0020]-[0025]、図3など)
　引用文献１１：特開平９−８３８９１号公報(段落[0047]-[0048]など)
　引用文献１２：千葉芳之, ＩＲＤ〔ＤＳＴ−Ｄ９００〕の機能紹介, 放送技術, 兼六館出版株式会社, 1998年11月1日, 第51巻, 第11号, P.86-90(特に、第88頁右欄〜第89頁左欄の「3.3 EPG」の部分)
　引用文献１３：特開平９−１３０６９４号公報(段落[0006],[0012]-[0016]、図2-3など)
　引用文献１４：特開平９−２８４７３９号公報(段落[0032],[0037]、図4-5など)
　引用文献１５：特開平９−２７０９６８号公報(段落[0017]-[0041]、図4など)
　　
第２　補正却下の決定
　平成２６年２月２５日付けの手続補正について次のとおり決定する。
 　 
［補正却下の決定の結論］
　平成２６年２月２５日付けの手続補正を却下する。
　　
［理由］
１　補正の内容
　平成２６年２月２５日付けの手続補正（以下「本件補正」という。）は、特許請求の範囲についてする補正である。
　　
　補正前の請求項１〜２０
「　【請求項１】
　娯楽システムを介して、意識調査を提供するサーバ・システムに通信される視聴者の要求に応答して、前記意識調査をテレビに表示し、前記視聴者が前記意識調査にアクセスするステップと、
　娯楽システムを介して通信された意識調査に対する前記視聴者のフィードバックを、あるサーバ・システムにおいて受信するステップと、
　使用可能なビデオのサーバ・システムから、視聴者に番組ガイドを提供するステップと、
　から構成され、前記ビデオは前記意識調査に応答して前記視聴者によって提供された情報に基づいて選択されるともに複数の番組資源から選択されるものであり、さらに前記番組ガイドは前記視聴者にはアクセス不可能なビデオでさえも列挙していることを特徴とする方法。
　　【請求項２】
　前記視聴者のフィードバックは追加の視聴者特性情報を含むことを特徴とする請求項１記載の方法。
　　【請求項３】
　前記視聴者特性情報は、視聴者の娯楽システムのハードウェア機能を含むことを特徴とする請求項２記載の方法。
　　【請求項４】
　コンピュータに実装される方法であって、この方法は、
　第１視聴者に表示用のコンピュータのプログラムを提示するステップと、
　前記第１視聴者からの要求に応答して、前記プログラムの格付けを受信し、前記格付けを提供するステップと、
　前記第１視聴者の格付けの一部に基づいて、前記第１視聴者にいくつかのプログラムを提案するステップと、
　いくつかのプログラムを含むプログラムリストを提供するステップと、から構成され、
　前記プログラムリストの上部には前記第１視聴者がより関心を持ちそうなプログラムが記載され、かつ該リストのプログラムは複数のプログラム資源から選択されるものであり、さらに前記プログラムリストは前記第１視聴者にはアクセス不可能なプログラムでさえも列挙していることを特徴とする方法。
　　【請求項５】
　前記格付けには、肯定的格付けと、非肯定的格付けが含まれることを特徴とする請求項４記載の方法。
　　【請求項６】
　第２視聴者に第２プログラムを提示するステップと、
　前記第２視聴者から前記第２プログラムの格付けを受信するステップと、
　前記プログラムと前記第２プログラムの両格付けの一部に基づいて、前記第２視聴者にいくつかのプログラムを提案するステップと、をさらに含むことを特徴とする請求項４記載の方法。
　　【請求項７】
　前記第１視聴者に第２プログラムを提示するステップと、
　前記第１視聴者から前記第２プログラムの格付けを受信するステップと、
　前記プログラムと前記第２プログラムの両格付けの一部に基づいて、前記第１視聴者にプログラムを提案するステップと、
　をさらに含むことを特徴とする請求項４記載の方法。
　　【請求項８】
　前記プログラムを提示するステップは、ネットワークを介して前記コンピュータに放送を送信するサーバ（１）と前記コンピュータの記憶媒体に前記放送を送信して前記記憶媒体に前記プログラムを提示させるサーバ（２）のうちの少なくとも１つのサーバから前記プログラムを受信するステップを含むことを特徴とする請求項４記載の方法。
　　【請求項９】
　コンピュータに実装された方法であって、その方法は、
　第１視聴者の端末が、１つまたは複数のネットワークに接続されたサーバ、或いは前記第１視聴者の端末のメモリからある１つのプログラムを受信するステップと、
　前記端末が、前記プログラムを表示するステップと、
　前記端末が前記第１視聴者から要求を受信して、前記プログラムの格付けを提供するステップと、
　前記端末が前記第１視聴者からの要求に応答して前記プログラムの格付けを送信し、前記格付けを提供するステップと、
　前記端末が、前記提供された格付けの一部に基づくプログラムの提案リストであって前記第１視聴者にはアクセス不可能なプログラム資源にあるプログラムでさえも列挙している提案リストを前記第１視聴者に向けて表示するステップと、
　から構成されることを特徴とする方法。
　　【請求項１０】
　前記格付けには、肯定的格付けと、非肯定的格付けが含まれることを特徴とする請求項９記載の方法。
　　【請求項１１】
　前記端末が第２プログラムを受信するステップと、
　前記端末が前記第１視聴者からの前記第２プログラムの格付けを送信するステップと、
をさらに有し、
　前記プログラム提案リストは、前記プログラムと前記第２のプログラムの格付けに一部基づいていることを特徴とする請求項９記載の方法。
　　【請求項１２】
　前記端末が、前記第１視聴者にとって最も関心がありそうなプログラムを前記提案リストの一番上に表示しているいくつかのプログラムリストを表示するステップをさらに含むことを特徴とする請求項９記載の方法。
　　【請求項１３】
　コンピュータに実装された方法であって、その方法は、
　第１コンピュータからユーザの個人に関する情報を受信するステップと、
　前記第１コンピュータの表示装置にお奨めコンテンツのリストであって、前記ユーザにはアクセス不可能なコンテンツ資源にあるコンテンツでさえも列挙しているリストを提供するステップと、
　第１視聴者からの要求に応答して前記お奨めコンテンツに対するフィードバックを受信し、フィードバックを提供するステップと、
　前記フィードバックの一部に基づき、第２のお奨めコンテンツのリストを表示装置に提供するステップと、
　から成ることを特徴とする方法。
　　【請求項１４】
　前記個人に関する情報は個人を識別する情報を含むことを特徴とする請求項１３記載の方法。
　　【請求項１５】
　前記フィードバックは、前記第１視聴者が視聴するコンテンツを選択することを含むことを特徴とする請求項１３記載の方法。
　　【請求項１６】
　前記お奨めコンテンツと前記フィードバックの一部に基づいて、購入可能なコンテンツを奨めるステップをさらに含むことを特徴とする請求項１３記載の方法。
　　【請求項１７】
　歌配信システムが、第１ユーザのコンピュータからの要求に応答し、ある歌に対するフィードバックを受信し、そのフィードバックを提供するステップと、
　前記歌配信システムが、前記第１ユーザからの前記フィードバックの一部に基づき、前記第１ユーザのコンピュータに奨めるいくつかの歌を決定するステップと、
　前記歌配信システムが前記第１ユーザのコンピュータに奨める音楽を識別して、１つのリストに表示するステップと、
　から成り、前記リストには前記第１ユーザにはアクセス不可能な音楽資源にある音楽でさえも列挙されていることを特徴とする方法。
　　【請求項１８】
　前記フィードバックは歌の選択を含むことを特徴とする請求項１７記載の方法。
　　【請求項１９】
　前記歌配信システムが前記第１ユーザのコンピュータの前記リストから選択されたある歌についての要求を受信するステップと、
　前記歌配信システムが前記第１ユーザのコンピュータに前記要求された歌を送信するステップと、
　をさらに含むことを特徴とする請求項１７記載の方法。
　　【請求項２０】
　前記お奨めの歌は、前記第１ユーザ以外の少なくとも一人のユーザからのフィードバックの一部に基づいていることを特徴とする請求項１７記載の方法。」
　　
を、次のとおり補正後の請求項１〜２０に補正するものである。
　　
「　【請求項１】
　娯楽システムを介して、意識調査を提供するサーバ・システムに通信される視聴者の要求に応答して、前記意識調査をテレビに表示し、前記視聴者が前記意識調査にアクセスするステップと、
　娯楽システムを介して通信された意識調査に対する前記視聴者のフィードバックを、あるサーバ・システムにおいて受信するステップと、
　使用可能なビデオのサーバ・システムから、視聴者に番組ガイドを提供するステップと、
　から構成され、前記ビデオは前記意識調査に応答して前記視聴者によって提供された情報に基づいて選択されるともに複数の番組資源から選択されるものであり、さらに前記番組ガイドは
、将来のアクセスを奨励するために現時点では
番組資源にある
　　【請求項２】
　前記視聴者のフィードバックは追加の視聴者特性情報を含むことを特徴とする請求項１記載の方法。
　　【請求項３】
　前記視聴者特性情報は、視聴者の娯楽システムのハードウェア機能を含むことを特徴とする請求項２記載の方法。
　　【請求項４】
　コンピュータに実装される方法であって、この方法は、
　第１視聴者に表示用のコンピュータのプログラムを提示するステップと、
　前記第１視聴者からの要求に応答して、前記プログラムの格付けを受信し、前記格付けを提供するステップと、
　前記第１視聴者の格付けの一部に基づいて、前記第１視聴者にいくつかのプログラムを提案するステップと、
　いくつかのプログラムを含むプログラムリストを提供するステップと、から構成され、
　前記プログラムリストの上部には前記第１視聴者がより関心を持ちそうなプログラムが記載され、かつ該リストのプログラムは複数のプログラム資源から選択されるものであり、さらに前記プログラムリストは
、将来のアクセスを奨励するために現時点では
プログラム資源にある
　　【請求項５】
　前記格付けには、肯定的格付けと、非肯定的格付けが含まれることを特徴とする請求項４記載の方法。
　　【請求項６】
　第２視聴者に第２プログラムを提示するステップと、
　前記第２視聴者から前記第２プログラムの格付けを受信するステップと、
　前記プログラムと前記第２プログラムの両格付けの一部に基づいて、前記第２視聴者にいくつかのプログラムを提案するステップと、をさらに含むことを特徴とする請求項４記載の方法。
　　【請求項７】
　前記第１視聴者に第２プログラムを提示するステップと、
　前記第１視聴者から前記第２プログラムの格付けを受信するステップと、
　前記プログラムと前記第２プログラムの両格付けの一部に基づいて、前記第１視聴者にプログラムを提案するステップと、
　をさらに含むことを特徴とする請求項４記載の方法。
　　【請求項８】
　前記プログラムを提示するステップは、ネットワークを介して前記コンピュータに放送を送信するサーバ（１）と前記コンピュータの記憶媒体に前記放送を送信して前記記憶媒体に前記プログラムを提示させるサーバ（２）のうちの少なくとも１つのサーバから前記プログラムを受信するステップを含むことを特徴とする請求項４記載の方法。
　　【請求項９】
　コンピュータに実装された方法であって、その方法は、
　第１視聴者の端末が、１つまたは複数のネットワークに接続されたサーバ、或いは前記第１視聴者の端末のメモリからある１つのプログラムを受信するステップと、
　前記端末が、前記プログラムを表示するステップと、
　前記端末が前記第１視聴者から要求を受信して、前記プログラムの格付けを提供するステップと、
　前記端末が前記第１視聴者からの要求に応答して前記プログラムの格付けを送信し、前記格付けを提供するステップと、
　前記端末が、前記提供された格付けの一部に基づくプログラムの提案リストであって
、将来のアクセスを奨励するために現時点では
　から構成されることを特徴とする方法。
　　【請求項１０】
　前記格付けには、肯定的格付けと、非肯定的格付けが含まれることを特徴とする請求項９記載の方法。
　　【請求項１１】
　前記端末が第２プログラムを受信するステップと、
　前記端末が前記第１視聴者からの前記第２プログラムの格付けを送信するステップと、
をさらに有し、
　前記プログラム提案リストは、前記プログラムと前記第２のプログラムの格付けに一部基づいていることを特徴とする請求項９記載の方法。
　　【請求項１２】
　前記端末が、前記第１視聴者にとって最も関心がありそうなプログラムを前記提案リストの一番上に表示しているいくつかのプログラムリストを表示するステップをさらに含むことを特徴とする請求項９記載の方法。
　　【請求項１３】
　コンピュータに実装された方法であって、その方法は、
　第１コンピュータからユーザの個人に関する情報を受信するステップと、
　前記第１コンピュータの表示装置にお奨めコンテンツのリストであって、
将来のアクセスを奨励するために現時点では
　第１視聴者からの要求に応答して前記お奨めコンテンツに対するフィードバックを受信し、フィードバックを提供するステップと、
　前記フィードバックの一部に基づき、第２のお奨めコンテンツのリストを表示装置に提供するステップと、
　から成ることを特徴とする方法。
　　【請求項１４】
　前記個人に関する情報は個人を識別する情報を含むことを特徴とする請求項１３記載の方法。
　　【請求項１５】
　前記フィードバックは、前記第１視聴者が視聴するコンテンツを選択することを含むことを特徴とする請求項１３記載の方法。
　　【請求項１６】
　前記お奨めコンテンツと前記フィードバックの一部に基づいて、購入可能なコンテンツを奨めるステップをさらに含むことを特徴とする請求項１３記載の方法。
　　【請求項１７】
　歌配信システムが、第１ユーザのコンピュータからの要求に応答し、ある歌に対するフィードバックを受信し、そのフィードバックを提供するステップと、
　前記歌配信システムが、前記第１ユーザからの前記フィードバックの一部に基づき、前記第１ユーザのコンピュータに奨めるいくつかの歌を決定するステップと、
　前記歌配信システムが前記第１ユーザのコンピュータに奨める音楽を識別して、１つのリストに表示するステップと、
　から成り、前記リストには
、将来のアクセスを奨励するために現時点では
　　【請求項１８】
　前記フィードバックは歌の選択を含むことを特徴とする請求項１７記載の方法。
　　【請求項１９】
　前記歌配信システムが前記第１ユーザのコンピュータの前記リストから選択されたある歌についての要求を受信するステップと、
　前記歌配信システムが前記第１ユーザのコンピュータに前記要求された歌を送信するステップと、
　をさらに含むことを特徴とする請求項１７記載の方法。
　　【請求項２０】
　前記お奨めの歌は、前記第１ユーザ以外の少なくとも一人のユーザからのフィードバックの一部に基づいていることを特徴とする請求項１７記載の方法。」
　　
２　補正の適合性 
（１）補正の目的 
　本件補正は、特許請求の範囲の減縮を目的とするものと認められる。
　特に、以下で検討する請求項１３に係る補正について、詳細すると、当該補正は、「将来のアクセスを奨励するために現時点では」を追加するものであり、特許請求の範囲の減縮を目的とするものと認められる。
　　
（２）独立特許要件 
　上記のとおり本件補正は特許請求の範囲の減縮を目的としているので、本件補正後における発明が特許出願の際独立して特許を受けることができるものであるか否かを、以下に検討する。
 　 
（３）補正後発明 
　補正後の請求項１〜２０に係る発明のうち請求項１３に係る発明は、次のとおりのものである（この発明を以下「補正後発明」という。）。
　　
「（Ａ）コンピュータに実装された方法であって、その方法は、
（Ｂ）第１コンピュータからユーザの個人に関する情報を受信するステップと、
（Ｃ）前記第１コンピュータの表示装置にお奨めコンテンツのリストであって、将来のアクセスを奨励するために現時点では前記ユーザにはアクセス不可能なコンテンツ資源にあるコンテンツでさえも列挙しているリストを提供するステップと、
（Ｄ）第１視聴者からの要求に応答して前記お奨めコンテンツに対するフィードバックを受信し、フィードバックを提供するステップと、
（Ｅ）前記フィードバックの一部に基づき、第２のお奨めコンテンツのリストを表示装置に提供するステップと、
（Ｆ）から成ることを特徴とする方法。」
　
（（Ａ）〜（Ｆ）は当審で付与した。以下各構成要件を「構成要件Ａ」等という。）
 　 
（４）刊行物１の記載 
　原査定の拒絶の理由に引用された特開平９−４６６８９号公報（上記引用文献１、以下「刊行物１」という。）には、「映像ソフト紹介システムおよび映像ソフト紹介方法」（発明の名称）に関し、図面と共に次に掲げる事項が記載されている。
　　
「　　【０００１】
　【産業上の利用分野】
　本発明は、映像ソフトをユーザに紹介する映像ソフト紹介システムに関するものであり、より詳細には、ケーブルＴＶを用いたビデオオンデマンドシステムなどの映像ソフト配信システムにおいて、映像ソフトの内容をユーザに紹介するシステムに関するものである。」
　　
「　　【０００５】
　【発明が解決しようとする課題】
　しかしながら、映像ソフト配信センタに蓄積された作品データベースには、数千件ないし数万件の映像ソフトが収録されており、上記従来技術を用いて、ユーザが、これらから所望の作品を探し出すためには、膨大なメニューチャンネルを一覧したり、或いは、膨大な種類のキーワードを設定しなければならないという問題点がある。さらに、適切にキーワードを設定することは容易ではなく、かつ、ユーザが、キーワードに合致したいくつもの作品群の中から、自分の作品嗜好に合った作品をさらに探し出す作業が必要であるため、使い勝手が非常に悪いという問題点があった。
　　　【０００６】
　本発明の目的は、ユーザによる煩雑な操作を要することなく、ユーザの嗜好に致した作品を紹介する映像ソフト紹介システムおよび映像ソフト紹介方法を提供することにある。」
　　
〈実施例〉
「　　【００２８】
　図１は本発明の実施例にかかる映像ソフト紹介システムを示すブロックダイヤグラムである。図１に示すように、本発明にかかる映像ソフト紹介システム１０は、映像ソフトを再生するための端末１４と、映像ソフトを配信するセンタ１２から構成される。通常CATVサービスなどではセンタ１２に対して複数の端末１４が接続されているが、同図ではその中の１つの端末についてのみ説明する。
　　　【００２９】
　センタ１２は、映画など複数の映像ソフトを記録した作品データベース１６（以下「作品ＤＢ」と略記する。）と、作品ＤＢ１６に記録された各作品の内容を分類して、各分類ごとの評価を示す付帯情報である作品評価情報を格納した作品評価データベース１８（以下「作品評価ＤＢ」と略記する。）と、端末１４から作品の再生を要求された場合に、該要求に対応して、作品ＤＢ１６から該当する作品を検索し、端末１４に転送するとともに、端末１４から特定の作品に関する作品評価情報が要求された場合に、当該要求に対応して、作品評価ＤＢ１８から対応する作品評価情報を検索し、端末に転送する転送手段とを有する。なお、センタ１２においては、作品をそれぞれ特定する作品IDにより、作品ＤＢ１６および作品評価ＤＢ１８が、一括管理されている。
　　　【００３０】
　その一方、端末１４は、ユーザに映像ソフトのサービスメニューを提示するとともに、ユーザが入力装置（図示せず）を用いて入力した情報に基づく映像ソフトを再生する表示手段２２と、映像ソフトに関するユーザごとの個人嗜好を示す個人嗜好情報を記録する個人嗜好データベース２４（以下「個人嗜好ＤＢ」と略記する。）と、センタ１２から取得した作品評価情報を受け入れ、個人嗜好情報を参照して、これらに基づき所定の作品を選択するフィルタ手段２６と、ユーザが映像ソフトを視聴した時間などを計測して、所定の情報を収集する情報収集手段２８と、情報収集手段２８から取得したユーザの視聴時間情報およびセンタ１２から取得した作品評価情報に基づき、ユーザの個人嗜好を類推して個人嗜好ＤＢ２４を更新する類推手段３０と、センタ１２の送受信手段２０からの情報を受け入れ、これを端末１４のフィルタ手段２６など所定の構成部分に与えるとともに、入力装置（図示せず）などに与えられた指令に対応する情報を、センタ１２の送受信手段２０に伝達する送受信手段３２とを備えている。なお、センタ１２の送受信手段２０と端末１４の送受信手段３２とは、電話回線などを介して接続されている。
　　　【００３１】
　センタ１２に蓄積された作品ＤＢ１６には、数千件ないし数万件の映像ソフトが収録されている。前述したように、作品ＤＢ１６に収録された作品は、作品ＩＤにより特定される。
　　　【００３２】
　また、センタ１２においては、作品ＤＢ１６に映像ソフトを格納する際に、作品ごとの作品評価情報を作成し、これを、作品ＩＤと対応させて作品評価ＤＢ１８に予め格納する。ここに、図２は、作品評価ＤＢ１８中のある作品ＩＤを与えられた作品に関する情報の構成を示す図である。作品評価ＤＢ１８には、作品ＤＢ１６に格納されている作品の数だけ、図２に示すような情報のブロック１８０（以下、「作品評価情報ブロック」と称する）が格納されている。作品評価情報ブロック１８０には、作品のタイトル名を示すタイトル情報１８１、作品が該当するジャンルを示すジャンル情報１８２、作品の制作国を示す制作国情報１８３、作品に出演している俳優の名前を示す俳優情報１８４、作品の上映時間を示す上映時間情報１８５、作品の作成年を示す年代情報１８６、作品が得た賞を示す受賞歴情報１８７、作品の制作費を示す制作費情報１８８、作品の制作期間を示す制作期間情報１８９、および、作品を表わすためのキーワードを示すキーワード情報１９０が含まれる。
　　　【００３３】
　ジャンル情報１８２は、予め定められたジャンル（たとえば、ロマンス、コメディ、ドキュメント、アクションなど）のうち、作品がどれに該当するかを示している。より具体的には、ジャンル情報１８２には、各ジャンルに該当する度合を示す情報、すなわち、評価指数１８２−１ないし１８２−３が含まれる。たとえば、図２に示す例において、作品のジャンルは、ロマンスの度合が６０％、コメディの度合が４０％、ドキュメントの度合が８０％であることが理解できる。
　　　【００３４】
　また、俳優情報１８４は、作品に出演している俳優の当該作品における重要度を示している。たとえば、これは、作品中の俳優の出演時間などに基づき決定すればよい。
　　　【００３５】
　さらに、本実施例においては、キーワード情報１９０は、作品によりどのような気分を醸し出すことができるかを示す気分キーワード１９１、どのような時或いは場所で見ることを勧めるかを示すＴＰＯキーワード１９２、および、作品のイメージをある特定の単語により示すイメージキーワード１９３を含んでいる。
　　　【００３６】
　次に、端末１４を構成する部材につき説明を加える。
　　　【００３７】
　表示手段２２は、画像データ生成部およびディスプレイ（ともに図示せず）から構成される。画像データ生成部は、フィルタ手段２６および個人嗜好ＤＢ２４により与えられたデータに基づき所定の画像データを生成し、これをディスプレイに与え、ディスプレイがこの画像データに対応する画像を表示する。また、ユーザが入力装置（図示せず）を操作することにより、所定の作品が選択された場合には、送受信手段２０、３２を介して、作品ＤＢ１６により与えられた映像ソフトに対応するデータに基づき、映像を再生する。
　　　【００３８】
　個人嗜好ＤＢ２４には、初期的に、ユーザの好みを示す嗜好度が記録されている。この嗜好度は、後に詳述するように、ユーザの指示に基づき、センタ１２の作品ＤＢ１６から端末１４に与えられた映像に対応するデータに基づき、表示手段２２のディスプレイに映像が再生されるのにしたがって更新される。
　　　【００３９】
　フィルタ手段２６は、送受信手段２０、３２を介してセンタ１２の作品評価ＤＢ１８により与えられた作品評価情報、および、個人嗜好ＤＢ２４に記憶されたあるユーザの嗜好度とに基づき、当該ユーザの個人嗜好を満たすであろうと考えられる作品を選択し、この作品に関する情報を表示手段２２に与える。
　　　【００４０】
　情報収集手段２８は、本実施例においては、ユーザにより指定された作品が再生されている際に、当該作品が再生されている時間を計測し、この時間に関する情報を類推手段３０に与える。
　　　【００４１】
　類推手段３０は、情報収集手段２８により与えられた時間情報に基づき、当該作品に関連するユーザの満足度を推定し、この推定された満足度に基づき、個人嗜好ＤＢ２４の内容を更新する。より詳細には、作品の最初から最後まで、ユーザが、当該作品を視聴している場合には、ユーザの満足度が大きく、その一方、作品の再生中に、その視聴を中断した場合、すなわち、入力装置（図示せず）を用いて、作品の再生を中止すべき旨の指令をセンタ１２に与えた場合には、その満足度が小さいであろうという考えに基づき、ユーザの満足度を推定している。
　　　【００４２】
　このように構成された映像ソフト紹介システムの動作につき説明する。システムが起動された後に、ユーザは、まず、端末１４の入力装置（図示せず）を操作して、自己のパスワードを入力する。このパスワードは、ユーザごとに一意的に定められているため、これにより、どのユーザが端末を使用しているのかが特定される。入力されたパスワードは、送受信手段２０を介して、センタ１２に与えられ、センタ１２において、ユーザがシステムを使用することができる者であるかどうかが判断される。
　　　【００４３】
　次いで、このユーザが、システムを初めて使用する場合には、以下のように、個人嗜好ＤＢ２４に、その初期的な嗜好度が格納される。このような場合には、図３に示すような画像が、表示手段２２のディスプレイに表わされる。
　　　【００４４】
　図３に示すように、表示手段２２のディスプレイの画面１００には、映画のジャンル１０１ないし１０３、および、それぞれに関連する項目１０４ないし１０６が表わされる。この例においては、映画のジャンルは、アクション、コメディおよびロマンスに分類され、その一方、項目は、「とっても好き」、「好き」、「普通」および「嫌い」に分類されている。ユーザは、端末の入力装置（図示せず）を操作して、各ジャンルの項目を選択する。このように選択された項目は、類推手段３０に与えられ、類推手段３０により、初期的な嗜好度が生成される。
　　　【００４５】
　類推手段３０は、与えられた項目に基づき、予め定められた評価指数を得る。本実施例においては、「とっても好き」という項目に対しては７点、「好き」に対しては５点、「普通」に対しては３点、「嫌い」に対しては０点が与えられるように構成されている。次いで、類推手段３０は、ユーザがどのジャンルがどのくらい好きであるかを示す嗜好度を、得られた評価指数に基づき算出する。
　　　【００４６】
　ここに、各ジャンルの嗜好度を加算すると、その和が１００になるようになっている。すなわち、嗜好度は、あるユーザの嗜好の割合を示すことになる。より具体的に、図３に示すように、ユーザが入力装置（図示せず）を操作したことにより、アクションに対して「普通」、コメディに対して「好き」、および、ロマンスに対して「とっても好き」という項目が与えられた場合には、下記の式に基づき、各ジャンルに対応する嗜好度が得られる。
　　　【００４７】
　アクションに関する嗜好度＝３／（７＋５＋３）×１００＝２０％
　コメディに関する嗜好度　＝５／（７＋５＋３）×１００＝３３％
　ロマンスに関する嗜好度　＝７／（７＋５＋３）×１００＝４７％
　このようにして得られた各ジャンルに対応する嗜好度が、個人嗜好ＤＢ２４のあるユーザに対して割り当てられた領域に記憶される。
　　　【００４８】
　図４は、個人嗜好ＤＢに含まれるユーザに対して割り当てられた領域（ブロック）に記憶された情報を示す図である。図４に示すように、本実施例にかかるこのブロック（以下、「第１の個人嗜好度情報ブロック」と称する。）は、ジャンルという項目４０１に対応する領域の他に、作品の制作された国名を示す制作国に関するパラメータ４０２に対応する領域、および、作品に出演する俳優に関するパラメータ４０３に対応する領域を備えている。この第１の個人嗜好度ブロックは、ユーザごとに設けられている。さらに、本実施例においては、個人嗜好データベースには、より長期的なユーザの嗜好度を記憶するためのユーザに対して割り当てられた領域である第２の個人嗜好度情報ブロックが設けられている。この第２の個人嗜好度情報ブロックは、第１の個人嗜好度情報ブロックと同様の構成になっている。なお、後述するように、類推手段３０により、この第２の個人嗜好度ブロックに含まれる嗜好度は、第１の個人嗜好度ブロックの対応する嗜好度に基づき、その値が更新されるようになっている。」
　　
「　　【００５３】
　次に、個人嗜好ＤＢ２４に所定の初期的な嗜好度が記憶された後の処理手続きにつき説明する。図５は、ユーザにより映像ソフトを鑑賞したい旨の指示が与えられ、所定の映像ソフトが選択され、さらに、これらに基づき、各ＤＢに含まれる情報の内容が更新される処理の流れを示す図である。
　　　【００５４】
　ユーザが入力装置を操作して、映像ソフトを鑑賞したい旨の指示を、送受信手段３２を介して、センタ１２に与えると、センタ１２は、作品評価ＤＢ１８に記憶された作品評価情報を、送受信手段２０を介して、端末１４に与える。端末１４の送受信手段３２は、これら情報を受け入れ、これをフィルタ手段２６に与える。
　　　【００５５】
　フィルタ手段２６は、作品評価情報と、個人嗜好ＤＢ２４中の、映像ソフトの鑑賞を要求したユーザに関連する第２の個人嗜好度情報ブロックに記憶された個人嗜好度情報とに基づき、表示手段２２のディスプレイの画面上に表示すべき作品を選択する。フィルタ手段２６により選択された作品名は、ディスプレイの画面上に表示される（ステップ５０１）。」
　　
「　　【００５７】
　ここに、フィルタ手段２６の構成およびこれによる処理をより詳細に説明する。図６は、フィルタ手段２６およびこれに関連するシステム中の部分を示すブロックダイヤグラムである。本実施例にかかるフィルタ手段２６は、図６に示すように、作品のジャンルに関連して、ユーザがその作品を嗜好すると考えられる度合を示すジャンル合致指数を算出するジャンル合致指数算出手段２６１と、作品が制作された国名に関連して、当該ユーザがその作品を嗜好すると考えられる度合を示す制作国別合致指数を算出する制作国別合致指数算出手段２６２と、作品に出演している俳優名に関連して、ユーザがその作品を嗜好すると考えられる度合を示す俳優合致指数を算出する俳優合致指数算出手段２６３と、これら合致指数算出手段２６１ないし２６３により得られた合致指数に基づき、表示手段２２のディスプレイに表示すべき作品名を最終的に決定する作品選択手段２６４とを有している。」
　　
「　　【００５９】
　このように構成されたフィルタ手段２６の作動につき、以下に説明する。
　　　【００６０】
　ジャンル合致指数算出手段２６１は、作品評価データベース１８から読み出され、端末１４に与えられたある作品に関連する作品評価ブロック中のジャンル情報１８２に含まれる各ジャンルの度合を示す評価指数と、個人嗜好ＤＢ２４中の対応する嗜好度との積を、それぞれ求め、求められた積の総和をジャンル合致指数とする。すなわち、ジャンル合致指数は、下記の式に基づき得ることができる。」
　　
「　　【００６４】
　制作国別合致指数算出手段２６２は、作品評価データベース１８から読み出され、端末１４に与えられたある作品に関連する作品評価ブロック中の制作国情報１８３に対応する、個人嗜好ＤＢ２４中の嗜好度を得て、これを制作国別合致指数とする。」
　　
「　　【００６６】
　さらに、俳優合致指数算出手段２６３は、作品評価データベース１８から読み出され、端末１４に与えられたある作品に関連する作品評価ブロック中の俳優情報１８４に含まれる各俳優の重要度を示す評価指数と、個人嗜好ＤＢ２４中の対応する嗜好度との積を、それぞれ求め、求められた積の総和を俳優合致指数とする。すなわち、俳優合致指数は、下記の式に基づき得ることができる。」
　　
「　　【００６８】
　俳優合致指数＝０．２４×０．０４＋０．０７×０．０９＋０．０５×０
　合致指数算出手段２６１ないし２６３により得られた合致指数は、作品選択手段２６４に与えられる。作品選択手段２６４は、ジャンル合致指数、制作国別合致指数および俳優合致指数を加算して、ある作品に関する個人嗜好合致指数を得る。合致指数算出手段２６１ないし２６３、および、作品選択手段２６４は、作品評価ＤＢ１８に格納された全ての作品に対して、上述した処理を実行して、個人嗜好合致指数を得る。」
　　
「　　【００６９】
　図７は、作品選択手段２６４において得られた個人嗜好合致指数を示す図である。本実施例においては、作品選択手段２６４は、このように得られた個人嗜好合致指数を参照し、その値が大きな順に、６個の作品を選択し、その作品に関する情報を表示手段２２に与える。」
　　
「　　【００７１】
　さて、ユーザが入力装置（図示せず）を操作して、ステップ５０１において表示手段２２のディスプレイの画面上に表示された作品名から、所定の作品を選択すると、送受信手段３２から、センタ１２に、選択された作品の作品ＩＤが与えられ、センタ１２は、これに応答して、作品ＩＤに基づき、作品ＤＢ１６から所定の作品を取り出し、この作品の映像データを端末１４に送信する。端末１４の送受信手段３２は、この映像データを受け入れ、さらに、この映像データに対応する映像が、表示手段２２のディスプレイにより逐次表示される。また、端末１４の類推手段３０は、選択された作品の作品ＩＤを記憶する（ステップ５０２）。情報収集手段２８は、センタ１２から与えられた映像が、ディスプレイにより再生されている時間をカウントする（ステップ５０３）。
　　　【００７２】
　本実施例においては、センタ１２により送信される映像データに対応する映像は、本体部分すなわち本編、および、解説部分からなり、解説部分は、本編の末尾に付加されている。したがって、本編に対応する映像の再生が終了し、さらに、解説部分に対応する映像が、ディスプレイにより再生された場合には、解説部分が再生された時間をカウントする（ステップ５０４）。
　　　【００７３】
　本実施例においては、ユーザの指示に基づき映像の再生が開始されると、解説部分の再生が終了した場合、或いは、ユーザが入力装置を操作して、映像の再生を中止すべき旨を指示した場合に、映像の再生が中止される。
　　　【００７４】
　映像の再生が中止されると、情報収集手段２８は、本編が再生されていた視聴時間、および、場合によっては、解説部分が再生されていた視聴時間を、類推手段３０に与える。類推手段３０は、これら視聴時間に基づき、ユーザが視聴した作品の満足度を示す得点を算出する（ステップ５０５）。
　　　【００７５】
　図８は、視聴時間と、これに対応する嗜好度評価点とを示す視聴時間／嗜好度テーブルを示す図であり、図８（ａ）は、本編の視聴時間と嗜好度評価点との関係を示すテーブル、図８（ｂ）は、解説部分の視聴時間と嗜好度評価点との関係を示すテーブルに対応する。類推手段３０は、図８に示す視聴時間／嗜好度テーブルを参照して、嗜好度評価点を得て、これらに基づき得点を算出する。
　　　【００７６】
　一般に、映像ソフトを最後まで見た場合には、その映像ソフトに対してユーザは大きな満足を得ていると考えることができ、その一方、その再生を途中で中止した場合には、ユーザは、最後まで見た場合と比較して、その映像ソフトに対して満足を得ていないと考えることができる。さらに、再生を途中で中止した場合であっても、映像ソフトが再生されていた時間にしたがって、ユーザは、その映像ソフトに対して満足を得ていると考えることができる。したがって、本実施例においては、図８（ａ）に示すように、映像ソフトの本編の時間のどのくらいの割合を、ユーザが視聴したかに基づき、第１の嗜好度評価点を得るようにしている。たとえば、映像ソフトの本編のすべてをユーザが視聴した場合には、１０点を得ることができる。また、ユーザが本編に満足した場合には、本編に付加された解説部分をみる時間が長くなると考えられる。したがって、図８（ｂ）に示すように、解説部分をどのくらいの長さだけ視聴したかに基づき、第２の嗜好度評価点を得るようにしている。なお、本編の再生が途中で中止された場合に、第２の嗜好度評価点は、０（零）点となる。
　　　【００７７】
　類推手段３０は、このように得られた第１の嗜好度評価点および第２の嗜好度評価点を加算して所定の得点を得る。」
　　
「　　【００７８】
　次いで、類推手段３０は、再生が終了した映像ソフトに関する作品評価情報と、ステップ５０５において得た得点とに基づき、再生が終了した映像ソフト、すなわち、最後に視聴した作品の嗜好評価点を算出する（ステップ５０６）。・・・
　　　【００７９】
　本実施例においては、類推手段３０が、一週間中に、ユーザが視聴した作品の各パラメータに関連する嗜好度評価点を累算し、累算された嗜好度評価点に関する情報を記憶する（ステップ５０７）。図９（ａ）は、累算された嗜好度評価点を示す図、図９（ｂ）は、最後に視聴した作品の嗜好度評価点を示す図である。類推手段３０は、図９（ａ）および図９（ｂ）に示す嗜好度評価点に基づき、新たに累算された嗜好度評価点を算出する。このようにして得られたものを図９（ｃ）に示す。すなわち、本実施例においては、ユーザにより作品が視聴されるごとに、新たに累算された嗜好度評価点が算出される。
　　　【００８０】
　さらに、類推手段３０は、このように得られた嗜好度評価点に基づき、第１の個人嗜好度情報ブロックの対応する嗜好度を更新する。より詳細には、類推手段３０は、「ジャンル」、「制作国」および「俳優」という各項目に含まれるパラメータに関連する嗜好度評価点のそれぞれが、その項目中に占める割合を示す嗜好度を生成する。」
　　
「　　【００８３】
　このように、ユーザが映像ソフトを視聴するごとに、第１の個人嗜好度情報ブロックが更新される処理が繰り返され、その後に、一週間が経過したと判断された場合（ステップ５０８でイエス）には、個人嗜好ＤＢ中の第２の個人嗜好度情報ブロックの嗜好度が更新される（ステップ５０９）。」
　　
「　　【００８５】
　新たな嗜好度＝ａ×第１の嗜好度＋ｂ×第２の嗜好度
　ここに、本実施例において、ａ＝０．７、ｂ＝０．３
　すなわち、第１の嗜好度と第２の嗜好度との間の重みを７：３に設定している。」
　　　
「　　【００８７】
　次に、表示手段２２のディスプレイに表わされる画像につき説明する。先に簡単に述べたように、本実施例においては、表示手段のディスプレイの画面上には、フィルタ手段２６により選択された作品名の他、所定の分類ごとの作品名を表示することもできるようになっている。図１０は、システムが起動され、ユーザの特定が終了した後のディスプレイの画面上に表れる画像の例を示す図である。・・・」
　　
「　　【００８９】
　ユーザが入力装置（図示せず）を操作して、たとえば、「個人嗜好」欄１００１を選択すると、図１０（ｂ）或いは図１０（ｃ）に示すような画像を得ることができる。ここに、図１０（ｂ）は、個人嗜好データベース中の、このユーザに関連する個人嗜好度情報ブロック中のジャンルという項目において、ロマンスというパラメータに関する嗜好度が、他の嗜好度よりも大きい場合に得られる画像であり、その一方、図１０（ｃ）は、ユーザに関連する個人嗜好度情報ブロック中のジャンルという項目において、アクションというパラメータに関する嗜好度が、他の嗜好度よりも大きい場合に得られる画像である。すなわち、個人嗜好度情報ブロックの嗜好度に基づき、端末を操作しているユーザがロマンス映画を嗜好していると予想された場合に、表示手段２２の画像データ生成部は、ロマンス映画の作品名を表示するのに適した背景に対応する画像データを生成し、ディスプレイが、当該背景１０１０および作品名１０１１ないし１０１６を画面１０００上に表示する。その一方、個人嗜好度情報ブロックの嗜好度に基づき、端末を操作しているユーザがアクション映画を嗜好していると予想された場合に、表示手段２２の画像データ生成部は、アクション映画の作品名を表示するのに適した背景に対応する画像データを生成し、ディスプレイが、当該背景１０２０および作品名１０２１ないし１０２６を画面１０００上に表示する。」
　　
「　　【００９６】
　また、本実施例においては、作品評価ＤＢ１８および作品ＤＢ１６をセンタ１２に設け、情報収集手段２８、類推手段３０、個人嗜好ＤＢ２４およびフィルタ２６を端末１４に設けているが、個人嗜好データベース２４、フィルタ手段２６、情報収集手段２８および類推手段３０の一部或いは全部を、センタ１２に設けてもよい。たとえば、本実施例のように、これら手段を端末１４に設けた場合には、収集された情報、各データベースに格納されたデータを検索、或いは、取得する際の端末-センタ間の通信量を削減することができる。その一方、これら手段をセンタ１２に設ければ、端末１４の構成規模を小さくすることができるため、端末のコスト、端末を設置する際に必要な床面積などを小さくすることができる。その一方、センタ１２に個人嗜好ＤＢ２４が設けられている場合には、パスワードを入力することにより、端末を利用するユーザを特定すれば、ユーザは、いかなる端末からも、個人嗜好を反映した作品に関する情報を得ることがができる。」
　　
「　　【００９８】
　さらに、上記実施例においては、情報収集手段２８は、視聴時間を計測しているが、これに限定されるものではなく、直接ユーザの満足度を調査するように、アンケートを実施するための画像を表示手段のディスプレイに表示するようにして、情報収集手段が、得られたアンケートに基づきユーザの満足度に関する情報を直接得ても良いし、或いは、ユーザの脈拍、α波などを調べて、ユーザの興奮度やリラックス度を調査するように構成してもよい。」
　　
「　　【０１００】
　また、ステップ５０７において、ユーザが一週間にわたり視聴した映像ソフトに関連する評価点に基づき得られたを蓄積して、これに基づき得られた第１の個人嗜好度情報ブロックの嗜好度を加味して、第２の個人嗜好度情報ブロックの対応する嗜好度を更新するように構成されているが、評価点を蓄積すべき期間はこれに限定されりものではない。」
　　
（５）対比
ア　刊行物１に記載された発明
　刊行物１には、映像ソフト紹介方法が記載され、そのシステムとして、映像ソフトを再生するための端末１４と映像ソフトを配信するセンタ１２が記載されている（段落【００２８】〜【００３０】）。
　センタ１２は、作品データベース（作品ＤＢ）１６、作品評価データベース（作品評価ＤＢ）１８、送受信手段２０からなり（段落【００２９】、【００３０】）、端末１４は、表示手段２２、個人嗜好データベース（個人嗜好ＤＢ）２４、センタ１２から取得した作品評価情報を受け入れ、個人嗜好情報を参照して、これらに基づき所定の作品を選択するフィルタ手段２６、ユーザが映像ソフトを視聴した時間などを計測して、所定の情報を収集する情報収集手段２８、情報収集手段２８から取得したユーザの視聴時間情報およびセンタ１２から取得した作品評価情報に基づき、ユーザの個人嗜好を類推して個人嗜好ＤＢ２４を更新する類推手段３０、送受信手段３２を備えている（段落【００３０】）実施例が記載され、段落【００９６】には、「情報収集手段２８、類推手段３０、個人嗜好ＤＢ２４およびフィルタ２６を端末１４に設けているが、個人嗜好データベース２４、フィルタ手段２６、情報収集手段２８および類推手段３０の一部或いは全部を、センタ１２に設けてもよい。」と記載されているから、センタ１２に、個人嗜好データベース２４、フィルタ手段２６、および類推手段３０を設けることが記載されていると認められ、このセンタの動作を、刊行物１に記載された発明として認定する。
　また、段落【０１００】に「評価点を蓄積すべき期間はこれに限定されりものではない。」と記載されているから、蓄積時間を０とし、個人嗜好ＤＢ２４を即更新するものを刊行物１発明として認定する。
　さらに、ユーザの視聴時間の計測に代えて、ユーザの満足度に関する情報をアンケートによって得ることが段落【００９８】に記載されているから、このことを刊行物１に記載された発明として認定する。
　　
ａ　まず、個人嗜好ＤＢ２４にユーザ入力により初期的な嗜好度が記憶される（段落【００４３】、【００４４】、【００４８】）から、端末１４からユーザの初期的な嗜好度を受信することは明らかである。
　　
ｂ　ユーザにより映像ソフトを鑑賞したい旨の指示をセンタ１２に与えると、センタ１２は、作品評価情報をフィルタ手段２６に与え（段落【００５４】）、フィルタ手段２６は、作品評価情報と、個人嗜好ＤＢ２４に記憶された個人嗜好度情報とに基づき、端末１４の表示手段２２のディスプレイの画面上に表示すべき作品を選択する（段落【００５５】）。その作品は複数（例えば６個、段落【００６９】）であり、ディスプレイに表される画像は、図１０（ｂ）、（ｃ）のような作品名である（段落【００８７】、【００８９】）。したがって、端末１４の表示装置２２のディスプレイの画面上に表示すべき複数の作品名が選択される。
　　
ｃ　ユーザが入力装置を操作して、表示手段２２のディスプレイの画面上に表示された作品名から、所定の作品を選択すると、センタ１２は、これに応答して、この作品の映像データを端末１４に送信し（段落【００７１】）、当該作品に対するユーザからのアンケートに基づきユーザの満足度の情報を得る（段落【００９８】、【００７４】）。
　　
ｄ　類推手段３０は、再生が終了した映像ソフトに関する作品評価情報とステップ５０５で得た得点（満足度の情報に相当）に基づき、映像ソフトの嗜好評価点を算出し（段落【００７８】）、個人嗜好ＤＢを更新する（段落【００８０】、【００８３】）。
　　
ｅ　個人嗜好ＤＢ更新後、ユーザにより映像ソフトを鑑賞したい旨の指示をセンタに与えると、上記のような動作をするものと認められるから、作品評価情報と、個人嗜好ＤＢ２４に記憶された個人嗜好度情報とに基づき、表示手段２２のディスプレイの画面上に表示すべき作品を選択し、提供する。
　　
ｆ　以上の動作は、センタ１２において行われるものであり、このような動作はコンピュータに実装されたソフトウエアにより実行されるものと認められ、「コンピュータに実装された方法」といえる。
　　
ｇ　刊行物１に記載された発明
　以上、上記ａ〜ｆをまとめると、刊行物１には、次の発明（以下「刊行物１発明」という。）が記載されていると認められる。
　　
「コンピュータに実装された方法であって、その方法は、
　端末１４からユーザの初期的な嗜好度を受信し、
　ユーザにより映像ソフトを鑑賞したい旨の指示をセンタ１２に与えると、センタ１２は、作品評価情報をフィルタ手段２６に与え、フィルタ手段２６は、作品評価情報と、個人嗜好ＤＢ２４に記憶された個人嗜好度情報とに基づき、端末１４の表示手段２２のディスプレイの画面上に表示すべき複数の作品名を選択し、
　ユーザが入力装置を操作して、表示手段２２のディスプレイの画面上に表示された作品名から、所定の作品を選択すると、センタ１２は、これに応答して、この作品の映像データを端末１４に送信し、当該作品に対するユーザからのアンケートに基づきユーザの満足度の情報を得、
　類推手段３０は、再生が終了した映像ソフトに関する作品評価情報と満足度の情報に基づき、映像ソフトの嗜好評価点を算出し、個人嗜好ＤＢを更新し、
　個人嗜好ＤＢ更新後、ユーザにより映像ソフトを鑑賞したい旨の指示をセンタに与えると、作品評価情報と、個人嗜好ＤＢ２４に記憶された個人嗜好度情報とに基づき、表示手段２２のディスプレイの画面上に表示すべき作品を選択、提供する
　ことから成ることを特徴とする方法。」
　　
イ　補正後発明と刊行物１発明との対比
　補正後発明と刊行物１発明とを対比する。
　　
（ア）構成要件Ａ、構成要件Ｆについて
　刊行物１発明は、「コンピュータに実装された方法であって、その方法は、・・・から成ることを特徴とする方法。」であって、補正後発明と一致する。
　　
（イ）構成要件Ｂ
　補正後発明の構成要件Ｂと、刊行物１発明における「端末１４からユーザの初期的な嗜好度を受信し」とを対比する。
　刊行物１発明の「端末１４」、「ユーザの初期的な嗜好度」は、それぞれ、補正後発明の「第１コンピュータ」、「ユーザの個人に関する情報」に相当し、刊行物１発明の「受信」する動作は、「ステップ」といえる。
　したがって、補正後発明と刊行物１発明とは、「第１コンピュータからユーザの個人に関する情報を受信するステップ」から成る点で一致する。
　　
（ウ）構成要件Ｃ
　補正後発明の構成要件Ｃと、刊行物１発明における「ユーザにより映像ソフトを鑑賞したい旨の指示をセンタ１２に与えると、センタ１２は、作品評価情報をフィルタ手段２６に与え、フィルタ手段２６は、作品評価情報と、個人嗜好ＤＢ２４に記憶された個人嗜好度情報とに基づき、端末１４の表示手段２２のディスプレイの画面上に表示すべき複数の作品名を選択し」とを対比する。
　刊行物１発明において、「端末１４の表示手段２２のディスプレイの画面上に表示すべき複数の作品名」は、「個人嗜好ＤＢ２４に記憶された個人嗜好度情報とに基づき」選択されるものであるから、「お奨めコンテンツリスト」といえ、刊行物１発明の「選択」する動作は、「ステップ」といえる。
　したがって、補正後発明と刊行物１発明とは、「前記第１コンピュータの表示装置にお奨めコンテンツのリストを提供するステップ」から成る点で、共通しているが、そのリストが、補正後発明においては、「将来のアクセスを奨励するために現時点では前記ユーザにはアクセス不可能なコンテンツ資源にあるコンテンツでさえも列挙しているリスト」であるのに対し、刊行物１発明においてはそうでない点で相違する。
　　
（エ）構成要件Ｄ
　補正後発明の構成要件Ｄと刊行物１発明における「ユーザが入力装置を操作して、表示手段２２のディスプレイの画面上に表示された作品名から、所定の作品を選択すると、センタ１２は、これに応答して、この作品の映像データを端末１４に送信し、当該作品に対するユーザからのアンケートの基づきユーザの満足度の情報を得、類推手段３０は、再生が終了した映像ソフトに関する作品評価情報と満足度の情報に基づき、映像ソフトの嗜好評価点を算出し、個人嗜好ＤＢを更新し」とを対比する。
　刊行物１発明の「当該作品に対するユーザからのアンケートに基づきユーザの満足度の情報」における「当該作品」は、「表示手段２２のディスプレイの画面上に表示された作品名から、」選択されたものであり、上記（ウ）のとおり「お奨めコンテンツリスト」から選択されたものといえるから、「お奨めコンテンツ」といえ、「当該作品に対するユーザからのアンケートに基づきユーザの満足度の情報」は、「お奨めコンテンツに対するフィードバック」といえる。そして、刊行物１発明は、ユーザの満足度の情報を得ているから、センタ１２はこの情報を受信しているといえ、刊行物１発明は、「前記お奨めコンテンツに対するフィードバックを受信し、」といえる。さらに、ユーザは上記のとおり所定の作品を選択し、当該作品に対するアンケートに回答し、センタ１２に送信しているものと認められるから、「第１の視聴者からの要求に応答してい」るといえる。
　類推手段３０は、「満足度の情報」に基づいて、個人嗜好ＤＢを更新するから、「満足度の情報」、すなわち「フィードバック」を類推手段に提供しているといえる。
　以上のような動作は、「ステップ」といえるから、刊行物１発明と補正後発明とは、「第１視聴者からの要求に応答して前記お奨めコンテンツに対するフィードバックを受信し、フィードバックを提供するステップ」から成る点で一致する。
　　
（オ）構成要件Ｅ
　構成要件Ｅと刊行物１発明における「個人嗜好ＤＢ更新後、ユーザにより映像ソフトを鑑賞したい旨の指示をセンタに与えると、作品評価情報と、個人嗜好ＤＢ２４に記憶された個人嗜好度情報とに基づき、表示手段２２のディスプレイの画面上に表示すべき作品を選択、提供する」とを対比する。
　刊行物１発明における個人嗜好ＤＢ更新後の動作は、新たな「お奨めリストを表示装置に提供するステップ」といえ、新たなお奨めリストは「第２のお奨めコンテンツのリスト」といえる。また、個人嗜好ＤＢの更新は、フィードバックに基づいているといえるから、「前記フィードバックの一部に基づき」といえる。
　以上より、補正後発明と刊行物１発明とは、「前記フィードバックの一部に基づき、第２のお奨めコンテンツのリストを表示装置に提供するステップ」から成る点で一致する。
　　
ウ　一致点、相違点
　以上より、補正後発明と刊行物１発明の一致点、相違点は次のとおりである。
　　
（一致点）
　コンピュータに実装された方法であって、その方法は、
　第１コンピュータからユーザの個人に関する情報を受信するステップと、
　前記第１コンピュータの表示装置にお奨めコンテンツのリスト提供するステップと、
　第１視聴者からの要求に応答して前記お奨めコンテンツに対するフィードバックを受信し、フィードバックを提供するステップと、
　前記フィードバックの一部に基づき、第２のお奨めコンテンツのリストを表示装置に提供するステップと、
　から成ることを特徴とする方法。
　　
（相違点）
　「お奨めコンテンツのリスト」が、補正後発明においては、「将来のアクセスを奨励するために現時点では前記ユーザにはアクセス不可能なコンテンツ資源にあるコンテンツでさえも列挙しているリスト」であるのに対し、刊行物１発明においてはそうでない点
　　
（６）相違点の判断等 
　テレビ放送において番組ガイドを用いることは周知技術であり、番組ガイドには、通常、現在アクセス可能なコンテンツ（現在時刻のコンテンツ）及び将来アクセス可能なコンテンツ（現在時刻以降のコンテンツ）があり、有料放送のコンテンツも含まれているものである。
　そうすると、刊行物１発明に周知技術を適用して、刊行物１発明におけるリストのコンテンツに「将来のアクセスを奨励するために現時点では前記ユーザにはアクセス不可能なコンテンツ資源にあるコンテンツ」をも含めるようにし、「お奨めリスト」を「将来のアクセスを奨励するために現時点では前記ユーザにはアクセス不可能なコンテンツ資源にあるコンテンツでさえも列挙しているリスト」にすることは、当業者が、容易に想到し得ることである。
　　
　そして、補正後発明が奏する効果は、その容易想到である構成から当業者が容易に予測し得る範囲内のものであり、同範囲を超える顕著なものでもない。
　　
　したがって、補正後発明は、刊行物１に記載された発明及び周知技術に基づいて当業者が容易に発明することができたものであるから、特許法２９条２項の規定により特許出願の際独立して特許を受けることができない。 
　よって、本件補正は、平成１８年法律第５５号改正附則第３条第１項によりなお従前の例によるとされる同法による改正前の特許法第１７条の２第５項において準用する同法第１２６条第５項の規定に違反している。
 　 
３　まとめ 
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　よって、補正却下の決定の結論のとおり決定する。
 　 
第３　本願発明について 
１　本願発明 
　平成２６年２月２５日付けの手続補正は、上記のとおり却下されたので、本願の請求項１〜２０に係る発明は、平成２５年３月１８日付け手続補正により補正された明細書及び図面の記載からみて、その特許請求の範囲の請求項１〜２０に記載した事項により特定されるとおりのものであるところ、請求項１３に係る発明は、次のとおりのものである（この発明を以下「本願発明」という。）。
　　
「コンピュータに実装された方法であって、その方法は、
　第１コンピュータからユーザの個人に関する情報を受信するステップと、
　前記第１コンピュータの表示装置にお奨めコンテンツのリストであって、前記ユーザにはアクセス不可能なコンテンツ資源にあるコンテンツでさえも列挙しているリストを提供するステップと、
　第１視聴者からの要求に応答して前記お奨めコンテンツに対するフィードバックを受信し、フィードバックを提供するステップと、
　前記フィードバックの一部に基づき、第２のお奨めコンテンツのリストを表示装置に提供するステップと、
　から成ることを特徴とする方法。」
　　
２　判断
　補正後発明は、本願発明をさらに限定したものと認められ、補正後発明が刊行物１に記載された発明及び周知技術に基づいて容易に発明できたものであることは、上記第２のとおりであるから、同じ理由で、本願発明は刊行物１に記載された発明及び周知技術に基づいて容易に発明できたものと認められる。
　　
３　むすび 
　以上のとおり、本願の請求項１３に係る発明は、刊行物１に記載された発明及び周知技術に基づいて、当業者が容易に発明することができたものであるから、特許法第２９条第２項の規定により特許を受けることができない。
　したがって、請求項１〜１２，１４〜２０に係る発明について検討するまでもなく、本願は拒絶されるべきものである。
　　
　よって、結論のとおり審決する。